(57)【要約】【課題】  紫外線硬化型のロール状粘着テープを紫外線から遮蔽された状態で保管でき、使用の際に容易に引き出すことのできる紫外線硬化型のロール状粘着テープ収容箱を提供することである。【解決手段】  紫外線により硬化するロール状粘着テープを保管するロール状粘着テープ収容箱であって、前壁、後壁、両側壁、及び底壁を有し、上方に開口部を有する箱本体と、該箱本体の該後壁に回動可能に取り付けられ、該箱本体の該開口部を選択的に閉鎖する蓋と、該箱本体内に収容されたロール状粘着テープの残量を確認するテープ残量確認手段と、を備え、該箱本体の該前壁の下部には該ロール状テープの幅より長い粘着テープ出口用開口が形成されており、該ロール状粘着テープは中央に空洞を有する巻き芯に巻回されており、該箱本体及び該蓋は紫外線に対して不透明な材料から形成されていることを特徴とする。【選択図】図３
2017202846.tif 000002
【特許請求の範囲】
【請求項１】
紫外線により硬化するロール状粘着テープを保管するロール状粘着テープ収容箱であって、
前壁、後壁、両側壁、及び底壁を有し、上方に開口部を有する箱本体と、
該箱本体の該後壁に回動可能に取り付けられ、該箱本体の該開口部を選択的に閉鎖する蓋と、
該箱本体内に収容されたロール状粘着テープの残量を確認するテープ残量確認手段と、を備え、
該箱本体の該前壁の下部には該ロール状粘着テープの幅より長い粘着テープ出口用開口が形成されており、
該ロール状粘着テープは中央に空洞を有する巻き芯に巻回されており、
該箱本体及び該蓋は紫外線に対して不透明な材料から形成されていることを特徴とするロール状粘着テープ収容箱。
【請求項２】
前記テープ残量確認手段は、該箱本体内に収容された該ロール状粘着テープの該巻き芯の空洞を挿通し、該箱本体の該開口部を通して該両側壁の外部に垂れさがった紐と、該紐の両端部に連結され該両側壁の外部に垂れさがった一対の棒部材とを含み、
該棒部材の高さ方向の位置により該箱本体内に収容された該ロール状粘着テープの残量を確認する請求項１記載のロール状粘着テープ収容箱。
【請求項３】
前記テープ残量確認手段は、一方の側壁の内側に配設された発光部と、該発光部に対向するように該箱本体の内部に収容された該ロール状粘着テープの反対側に配設された反射板と、該反射板で反射された光を受光するように該一方の側壁の内部に配設された受光部とを含む請求項１記載のロール状粘着テープ収容箱。
【請求項４】
前記テープ残量確認手段は、該ロール状粘着テープの該巻き芯から所定距離の同心円状に形成された着色部から構成される請求項１記載のロール状粘着テープ収容箱。
【請求項５】
前記テープ残量確認手段は、該箱本体の該底壁上に設置された重量感知部から構成される請求項１記載のロール状粘着テープ収容箱。
【請求項６】
前記箱本体の前記前壁は前記テープ出口用開口から入る紫外線を遮蔽するシャッターを有する請求項１〜５の何れかに記載のロール状粘着テープ収容箱。
【発明の詳細な説明】
【技術分野】
【０００１】
本発明は、紫外線の照射により硬化するロール状粘着テープを収容するロール状粘着テープ収容箱に関する。
【背景技術】
【０００２】
半導体ウエーハ等の被加工物を切削装置、レーザー加工装置等の加工装置で加工する際には、加工中のハンドリングを容易にするため或いは被加工物をチップに分割した後の一体性を確保するために、外周部が環状フレームに貼着された粘着テープに被加工物の裏面を貼着した所謂フレームユニットの形態で加工装置に投入される。
【０００３】
被加工物を個々のチップに分割した後には、各チップを粘着テープからピックアップする必要があるため、粘着テープとして紫外線硬化型粘着テープがよく使用されている。この紫外線化硬化型粘着テープは紫外線が照射されると硬化し、その粘着力が弱くなるか又は消失するため、紫外線から遮蔽された状態で保管する必要がある。
【０００４】
従来は、黒色の紫外線遮蔽袋中に紫外線硬化型のロール状粘着テープを保管しておき、粘着テープを使用する都度、紫外線遮蔽袋から取り出し、必要な長さにカットして使用していた。
【先行技術文献】
【特許文献】
【０００５】
【特許文献１】特開２０１０−２０６１３６号公報
【発明の概要】
【発明が解決しようとする課題】
【０００６】
しかし、従来のように紫外線遮蔽袋中に紫外線硬化型ロール状粘着テープを保管し、粘着テープを使用する都度紫外線遮蔽袋から取り出して使用するには、出し入れ作業が煩雑であるという問題があった。
【０００７】
本発明はこのような点に鑑みてなされたものであり、その目的とするところは、紫外線硬化型のロール状粘着テープを紫外線から遮蔽された状態で保管でき、使用の際に容易に引き出すことのできる紫外線硬化型のロール状粘着テープ収容箱を提供することである。
【課題を解決するための手段】
【０００８】
本発明によると、紫外線により硬化するロール状粘着テープを保管するロール状粘着テープ収容箱であって、前壁、後壁、両側壁、及び底壁を有し、上方に開口部を有する箱本体と、該箱本体の該後壁に回動可能に取り付けられ、該箱本体の該開口部を選択的に閉鎖する蓋と、該箱本体内に収容されたロール状粘着テープの残量を確認するテープ残量確認手段と、を備え、該箱本体の該前壁の下部には該ロール状粘着テープの幅より長い粘着テープ出口用開口が形成されており、該ロール状粘着テープは中央に空洞を有する巻き芯に巻回されており、該箱本体及び該蓋は紫外線に対して不透明な材料から形成されていることを特徴とするロール状粘着テープ収容箱が提供される。
【０００９】
好ましくは、前記テープ残量確認手段は、該箱本体内に収容された該ロール状粘着テープの該巻き芯の空洞を挿通し、該箱本体の該開口部を通して該両側壁の外部に垂れさがった紐と、該紐の両端部に連結され該両側壁の外部に垂れさがった一対の棒部材とを含み、該棒部材の高さ方向の位置により該箱本体内に収容されたロール状粘着テープの残量を確認する。
【００１０】
代替実施形態として、前記テープ残量確認手段は、一方の側壁の内側に配設された発光部と、該発光部に対向するように該箱本体の内部に収容された該ロール状粘着テープの反対側に配設された反射板と、該反射板で反射された光を受光するように該一方の側壁の内部に配設された受光部とを含む。更に他の実施形態として、前記テープ残量確認手段は、該ロール状粘着テープの該巻き芯から所定距離の同心円状に形成された着色部から構成される。
【発明の効果】
【００１１】
本発明によると、紫外線硬化型のロール状粘着テープを紫外線を遮蔽した状態で収容箱中に保管することができ、使用時にはロール状粘着テープは箱本体内に収容したまま粘着テープの端部をテープ出口用の開口から引き出して必要な長さの粘着テープを使用することができる。
【００１２】
また、収容箱のふたを開けなくとも、テープ残量確認手段で収容箱中に収容されたロール状粘着テープの残量を確認することができるため、紫外線硬化型のロール状粘着テープの管理及び取り扱いが容易であるという効果を奏する。
【図面の簡単な説明】
【００１３】
【図１】内部にロール状粘着テープを収容し蓋を開けた状態のロール状粘着テープ収容箱の斜視図である。
【図２】蓋を閉めた状態のロール状粘着テープの斜視図である。
【図３】図３（Ａ）はロール状粘着テープの残量が多い場合のテープ残量確認手段の第１実施形態の斜視図、図３（Ｂ）はロール状粘着テープの残量が少なくなった場合の第１実施形態の斜視図である。
【図４】図４（Ａ）はテープ残量確認手段の第２実施形態を示す斜視図、図４（Ｂ）はテープ残量確認手段の第３実施形態を示す斜視図である。
【図５】図５（Ａ）は第１実施形態のシャッターを示す側面断面図、図５（Ｂ）は第２実施形態のシャッターを示す側面断面図である。
【図６】第３実施形態のシャッターを示す側面断面図である。
【発明を実施するための形態】
【００１４】
以下、本発明の実施形態を図面を参照して詳細に説明する。図１を参照すると、蓋６を開けた状態の紫外線により硬化するロール状粘着テープ１０を収容するロール状粘着テープ収容箱２の斜視図が示されている。ロール状粘着テープ収容箱２は、箱本体４と、箱本体４の開口部５を選択的に閉鎖する蓋６とから構成される。
【００１５】
箱本体４及び蓋６は、例えば紫外線に対して不透明な樹脂から形成されている。然し、箱本体４及び蓋６の材料は樹脂に限定されるものではなく、紫外線に対して不透明な木材、金属等の材料から形成するようにしてもよい。
【００１６】
箱本体４は、前壁４ａ、後壁４ｂ、左側壁４ｃ、右側壁４ｄ、及び底壁４ｅから構成されており、箱本体４の上部には開口部５が形成されている。蓋６は、箱本体４の後壁４ｂの上端に図示しないヒンジにより回動可能に取り付けられており、箱本体４の開口部５を必要に応じて選択的に閉鎖する。
【００１７】
箱本体４の前壁４ａの下端部にはロール状粘着テープ１０の幅よりも長いテープ出口用開口（スリット）８が形成されている。図２に示されるように、箱本体４の底壁４ｅの前端には箱本体４内に収容されたロール状粘着テープ１０からの粘着テープ１４の引き出しを容易にするための切り欠き１６が形成されている。
【００１８】
紫外線硬化型粘着テープ１４は、塩化ビニル等のシート状基材上に例えばアクリル樹脂から形成された紫外線の照射により硬化する粘着層が配設され、更に粘着層上に剥離紙（セパレータ）が貼着されて構成されている。ロール状粘着テープ１０は、粘着層上に剥離紙が貼着された状態で巻き芯１２上に巻回されて構成されている。巻き芯１２は左右を貫通する空洞部１２ａを有している。
【００１９】
図１では省略されているが、本発明実施形態に係るロール状粘着テープ収容箱２は、図３に示すように、ロール状粘着テープ１０の巻き芯１２の空洞部１２ａを挿通して開口部５を介して側壁４ｃ、４ｄの外部に垂れ下がる紐１８と、紐１８の両端部に連結された棒部材２０とからなるテープ残量確認手段を備えている。
【００２０】
図３（Ａ）に示すように、収容箱２中に収容されたロール状粘着テープ１０の残量が多い場合には、ロール状粘着テープ１０の直径が大きくなるため、棒部材２０は箱本体４の側壁４ｃ、４ｄから低く垂れ下がる。
【００２１】
一方、ロール状粘着テープ６から粘着テープ１４を繰り出して使用するうちにロール状粘着テープ１０の直径が小さくなった場合には、テープ残量確認手段２２を構成する紐１８は矢印Ａ方向に引っ張られ、これに応じて棒部材２０は矢印Ｂ方向に引き上げられて棒部材２０の位置が高くなる。
【００２２】
従って、本実施形態のテープ残量確認手段２２では、収容箱２の蓋６を開けなくても、棒部材２０の高さ方向の位置によりロール状粘着テープ１０の残量を確認することができる。図３（Ｂ）に示すように、棒部材２０が上端位置にある場合には、ロール状粘着テープ１０の残量がほとんどないと確認することができる。
【００２３】
図４（Ａ）を参照すると、テープ残量確認手段の第２実施形態が示されている。本実施形態のテープ残量確認手段は、一方の側壁４ｄの内側に配設された発光部２４と、発光部２４に対向してロール状粘着テープ収容箱２Ａ内に収容されたロール状粘着テープ１０の反対側に配設された反射板２８と、反射板２８で反射された反射光を受光する側壁４ｄの内側に配設された受光部２６とから構成される。発光部２４及び受光部２６を最適な位置に配設することにより、ロール状粘着テープ１０の残量を確認することができる。
【００２４】
発光部２４は例えば発光素子から構成され、受光部２６は例えば受光素子から構成される。或いは、発光部２４は他端に発光素子が接続された光ファイバーの一端から構成され、受光部２６は他端に受光素子が接続された光ファイバーの一端から構成される。
【００２５】
本実施形態の変形例として、反射板２８を省略し、一方の側壁４ｄの内側に発光部２４を配設し、他方の側壁４ｃの内側に発光部２４に対向する受光部２６を配設するようにしてもよい。本実施形態では、好ましくは、発光部２４から出射する出射光は赤外線であり、粘着テープ１４の品質に影響を及ぼさずロール状粘着テープ１０の残量を確認することができる。
【００２６】
図４（Ｂ）を参照すると、テープ残量確認手段の第３実施形態が示されている。本実施形態では、ロール状粘着テープ１０Ａは巻き芯１２から同心円状に所定の領域が着色された着色部３０を含む。本実施形態によると、出口用開口８から引き出した粘着テープ１４が着色されていれば、ロール状粘着テープ１０Ａの残量がほとんどないと確認することができる。ロール状粘着テープ１０Ａの側面の巻き芯１２に近い同心円状の所定領域だけ着色してもよいし、巻き芯１２に近い全ての領域の粘着テープ１４を着色してもよい。
【００２７】
好ましくは、図５（Ａ）に示すように、ロール状粘着テープ収容箱２Ｂの前壁４ａの下端部に形成されたテープ取り出し用開口８から侵入する紫外線を防止するために、開口８を内側から閉鎖する例えばシリコーンゴム等の柔軟性のある材料から形成されたシャッター３２を前壁４ａの下端部の内側に取り付ける。
【００２８】
代替実施形態としては、図５（Ｂ）に示すように、前壁４ａの下端部内側から内側に突出する支持部材３４を設け、この支持部材３４に回動可能にシャッター３６を取り付けるようにしてもよい。
【００２９】
シャッターの更に他の実施形態としては、図６に示すように、開口８を内側から塞ぐようにシャッターとして機能するローラ３８を回転可能に配設するようにてもよい。ローラ３８の中心軸３８ａが側壁４ｃ、４ｄに回転可能に取り付けられる。
【符号の説明】
【００３０】
２，２Ａ，２Ｂ，２Ｃ，２Ｄ    ロール状粘着テープ収容箱
４    箱本体
６    蓋
８    取り出し用開口
１０    ロール状粘着テープ
１２    巻き芯
１４    粘着テープ
１６    切り欠き
１８    紐
２０    棒部材
２２    テープ残量確認手段
２４    発光部
２６    受光部
２８    反射板
３０    着色部
３２，３６    シャッター
３８    ローラ
【図１】
2017202846.tif 000003
【図２】
2017202846.tif 000004
【図３】
2017202846.tif 000005
【図４】
2017202846.tif 000006
【図５】
2017202846.tif 000007
【図６】
2017202846.tif 000008